(57)【要約】【課題】テント内のボールを袋に容易に収容することができ、しかもボールを収容した袋を紛失する虞がないボール遊戯用テントを提供すること。【解決手段】弾性を有するワイヤーによって複数の枠を構成するとともに、それらの枠にシートを張設してテント本体を形成し、前記枠を変形させて畳むようにしたボール遊戯用テントであって、前記シートによって形成される壁の一部にボール用開口を入れ、該ボール用開口近くの前記壁の外表面にボール収容袋を付設したことを特徴としている。【選択図】        図１
2004222861.tif 000002
【特許請求の範囲】
【請求項１】
複数の枠にシートを張設してテント本体を形成し、格納時には前記枠を畳むようにしたボール遊戯用テントにおいて、前記シートによって形成される壁の一部にボール用開口を形成し、当該ボール用開口近くの前記壁の外表面にボール収容袋を付設したことを特徴とするボール遊戯用テント。
【請求項２】
弾性を有し無端状に結合されたワイヤーによって各側壁の枠をそれぞれ構成したことを特徴とする請求項１記載のボール遊戯用テント。
【請求項３】
前記ボール用開口を天井壁に配置させたことを特徴とする請求項１または２記載のボール遊戯用テント。
【請求項４】
前記ボール用開口を側壁に配置させたことを特徴とする請求項１または２に記載のボール遊戯用テント。
【請求項５】
前記ボール用開口に、当該ボール用開口を開閉するファスナーを取り付けたことを特徴とする請求項１〜４のいずれかに記載のボール遊戯用テント。
【請求項６】
前記ボール収容袋に、前記テント本体を畳んだ状態で、該テント本体を締結する紐体を備えたことを特徴とする請求項１〜５のいずれかに記載のボール遊戯用テント。
【発明の詳細な説明】
【０００１】
【発明の属する技術分野】
本発明は、内部空間内に幼児が入り、該空間内でボール遊戯を行ない、格納するときには枠を変形させて小さく畳むことができるボール遊戯用テントに関するものである。
【０００２】
【従来の技術】
内部空間に幼児が入り、そこで小さなボールで遊戯が行なえ、格納する際には、枠を複数の円形状に変形させることによってコンパクトに畳むテントが知られている（例えば、非特許文献１）。
【０００３】
【非特許文献１】
アポロ社ホームページー知育玩具―ボールテント、〔ｏｎｌｉｎｅ〕、平成１５年１月１７日検索、インターネット＜ＵＲＬ：＞
【０００４】
【発明が解決しようとする課題】
このようなテントを格納する場合には、ボールを別の袋等に入れて保管することになる。その際に、テント内のボールを取り出し、それを袋に入れ替える必要があり、その作業が煩雑である。また、ボールの入った袋を常にテントと一緒に保管しておけばよいが、それらがばらばらに保管された場合には、ボールを紛失する虞がある。
【０００５】
本発明は、テント内のボールを袋に容易に収容することができ、しかもボールを収容した袋を紛失する虞がないボール遊戯用テントを提供することを目的とする。
【０００６】
【課題を解決するための手段】
請求項１記載のボール遊戯用テントは、複数の枠にシートを張設してテント本体を形成し、格納時には前記枠を畳むようにしたボール遊戯用テントにおいて、前記シートによって形成される壁の一部にボール用開口を形成し、当該ボール用開口近くの前記壁の外表面にボール収容袋を付設したことを特徴とする。ボール収容袋の付設にあたっては、ボール用開口をボール収容袋を多う必要はなく、ボール用開口を通じてボール収容袋からボールを直接的にテント本体に流したり、ボール用開口を通じてテント本体からボールを直接的にボール収容袋に流すことができればその付設方法を問わない。
このボール遊戯用テントによれば、格納する場合に、壁に形成したボール用開口を介してテント内のボールをボール収容袋内に収容させ、その後テントを畳むことによってテントと一体的にボールを保管することができる。
【０００７】
請求項２記載のボール遊戯用テントは、請求項１記載のボール遊戯用テントにおいて、弾性を有し無端状に結合されたワイヤーによって各側壁の枠をそれぞれ構成したことを特徴とする。
このボール遊戯用テントによれば、弾性を有し無端状に結合されたワイヤーによって各側壁の枠がそれぞれ構成されるので、簡単に折り畳むことができると共に、組み立ても容易となる。
【０００８】
請求項３記載のボール遊戯用テントは、請求項１または２記載のボール遊戯用テントにおいて、前記ボール用開口を天井壁に配置させたことを特徴とする。
このボール遊戯用テントによれば、ボール用開口が天井壁に配置されているので、空のボール収容袋が遊戯の際の邪魔になることはない。
【０００９】
請求項４記載のボール遊戯用テントは、請求項１または２に記載のボール遊戯用テントにおいて、前記ボール用開口を側壁に配置させたことを特徴とする。
このボール遊戯用テントによれば、ボール用開口が側壁に配置されているので、ボール収容袋からボールをテント本体内に充填するのが容易となる。
【００１０】
請求項５記載のボール遊戯用テントは、請求項１〜４のいずれか一に記載のボール遊戯用テントにおいて、前記ボール用開口に、当該ボール用開口を開閉するファスナーを取り付けたことを特徴とする。
このボール遊戯用テントによれば、ボール収容袋にボールを収容した後にファスナーによってボール要開口を閉じることで、ボール収容袋からボールがこぼれることはない。
【００１１】
【発明の実施の形態】
以下、本発明に係るボール遊戯用テントを図面に示した一実施の形態に基づいて説明する。
【００１２】
図１は本発明に係るボール遊戯用テントを示した概念的な斜視図、図２（ａ）〜（ｅ）はそのテントを畳む手順を示した図、図３はそのテントを畳んだ状態を示した概念的な斜視図である。
【００１３】
図１に示したボール遊戯用テントは、テント本体１とボール収容袋２とによって構成されている。
このテント本体１では、ばね鋼等の弾力性を有するワイヤーを略５角形状に形成した枠３を４つ用意し、それらの側辺３ａが互いに接するように配置し、それらの枠３の周囲、上部および底部を覆うように布、合成樹脂等のシート４を張設して、側壁５、天井壁６、底壁７を形成している。
【００１４】
このテント本体１の１つの側壁５には、幼児が出入りする例えば円形の出入り口８が形成されている。また、テント本体１の天井壁６にはボール用開口９が形成されている。ボール用開口９は孔であってもよいし、切り込みであってもよい。
【００１５】
このボール用開口９が形成されている天井壁６の外表面には、そのボール用開口９を覆うようにボール収容袋２が配設されている。このボール収容袋２は、ネットによって形成され、その開口部付近の複数箇所に紐１１の一端が取り付けられている。この場合、ボール収容袋２はネットでなく、袋状としてもよい。
【００１６】
このように構成されたボール遊戯用テント１は、図１に示したように、テント本体１を立体的に拡げた状態で、ボール用開口９からボール収容袋２内のボール１２をテント本体１内に供給する。
そして、幼児は出入り口８からテント本体１内に入り、ボール１２で遊ぶ。
【００１７】
ボール遊戯用テント１を格納する場合には、テント本体１を逆さにしてテント本体１に対してボール用開口９を下方に位置させ、ボール収容袋２内にテント本体１内のボール１２を流し込む。
【００１８】
次いで、図２（ａ）に示した状態のテント本体１の一つのコーナーを反対側のコーナーに押し込むようにして、図２（ｂ）に示したように、４つの側壁を重ね合わせる。
次いで、図２（ｃ）に示したように、側壁７の上部（天井壁側）ａと下部（底壁側）ｂとを合わせるように畳み、次いで、合わせた部分ａ、ｂをしっかり掴み、さらに、図２（ｄ）に示したように、曲げ部ｃ、ｄを摘んで重ね合わせ、それらが重なり合って４つの輪ができるように捩るようにして畳む。
なお、テント本体１を畳むに際して、ボール収容袋２は常に、外側に位置するようにして畳むように心がける。
【００１９】
このようにして畳まれたテント本体１は、図２（ｅ）に示したように、ボール収容袋２に重ねられる。
そして、図３に示したように、ボール収容袋２に取り付けられた紐１１で畳まれた状態のテント本体１を縛り、ボール収容袋２とテント本体１とを一体化する。
【００２０】
なお、ボール収容袋２とテント本体１との一体化は、紐１１の先端を互いに結んでテント本体１を縛ってもよいが、それぞれの紐１１の先端に面ファスナーを取り付け、該面ファスナーによって紐１１を互いに結合してもよい。
【００２１】
このように一体化されたボール遊戯用テントを使用する場合には、紐１１を解き、畳まれて重なり合った状態のテント本体１の重なりを軽く解すと、ワイヤー３の弾性力によってテント本体１が、図１に示した、元の状態に復元される。
【００２２】
なお、上記実施の形態では、ボール用開口９を出入り口８が形成された天井壁５に付設しているが、ボール用開口９は他の壁に形成してもよい。
【００２３】
また、ボール用開口９を切り込みしＴ字状に形成し、それらにはファスナーを取り付けてもよい。
【００２４】
さらに、天井壁５に、ボール１２を排出した後のボール収容袋２を収納するポケットを設けてもよい。
【００２５】
【発明の効果】
本発明のボール遊戯用テントでは、複数の枠にシートを張設してテント本体を形成し、格納時には前記枠を畳むようにしたボール遊戯用テントにおいて、前記シートによって形成される壁の一部にボール用開口を形成し、当該ボール用開口近くの前記壁の外表面にボール収容袋を付設したので、格納する場合に、壁に形成したボール用開口を介してテント内のボールをボール収容袋内に収容させ、その後テントを畳むことによってテントと一体的にボールを保管することができる。したがって、ボールを紛失する虞がない。
【図面の簡単な説明】
【図１】本発明に係るボール遊戯用テントの一実施の形態を概念的に示した斜視図である。
【図２】本発明に係るボール遊戯用テントを畳む手順（ａ）〜（ｅ）を示した図である。
【図３】本発明に係るボール遊戯用テントを畳んだ状態を概念的に示した斜視図である。
【符号の説明】
１      テント本体
２      ボール収容袋
３      ワイヤー
４      シート
５      側壁
６      天井壁
７      底壁
８      出入り口
９      切り込み
１０      ファスナー
１１      紐
１２      ボール
【図１】
2004222861.tif 000003
【図２】
2004222861.tif 000004
【図３】
2004222861.tif 000005